(57)【要約】【課題】利用可能な通信帯域が異なる複数の通信装置のいずれに対しても、アプリケーションのアップデートを効率的に行う。【解決手段】第１通信装置が通信に利用可能な帯域を示す帯域情報に基づいて、第１通信装置が実行するアプリケーションに対するアップデートデータを複数のデータに分割する場合の分割サイズを決定する分割サイズ決定部と、分割サイズ決定部が決定した分割サイズに応じて、アップデートデータを複数のデータに分割する分割部と、分割部が分割した複数のデータに関連する関連情報を生成する関連情報生成部とを有し、第２通信装置は、関連情報を第１通信装置に対して送信し、第１通信装置は、関連情報に応じて、分割サイズに分割されたアップデートデータを受信してアップデートを行う。【選択図】図４
2015082149.tif 000002
【特許請求の範囲】
【請求項１】
第１通信装置と第２通信装置とを備える通信システムであって、
前記第１通信装置が通信に利用可能な帯域を示す帯域情報に基づいて、前記第１通信装置が実行するアプリケーションに対するアップデートデータを複数のデータに分割する場合の分割サイズを決定する分割サイズ決定部と、
前記分割サイズ決定部が決定した分割サイズに応じて、前記アップデートデータを複数のデータに分割する分割部と、
前記分割部が分割した複数のデータに関連する関連情報を生成する関連情報生成部と
を有し、
前記第２通信装置は、
前記関連情報を前記第１通信装置に対して送信し、
前記第１通信装置は、
前記関連情報に応じて、前記分割サイズに分割された前記アップデートデータを受信してアップデートを行うこと
を特徴とする通信システム。
【請求項２】
前記第１通信装置は、
過去に前記アップデートデータを受信したときの通信帯域に基づいて、通信に利用可能な帯域を決定する帯域決定部を具備し、前記帯域決定部が決定した帯域を前記帯域情報として前記第２通信装置に対して送信し、
前記第２通信装置は、
前記分割サイズ決定部、前記分割部及び前記関連情報生成部を具備すること
を特徴とする請求項１に記載の通信システム。
【請求項３】
前記第１通信装置は、
前記アップデートデータの受信前に、通信に利用可能な帯域を計測し、計測結果に基づいて通信に利用可能な帯域を決定する帯域決定部を具備し、前記帯域決定部が決定した帯域を前記帯域情報として前記第２通信装置に対して送信し、
前記第２通信装置は、
前記分割サイズ決定部、前記分割部及び前記関連情報生成部を具備すること
を特徴とする請求項１に記載の通信システム。
【請求項４】
第１通信装置と第２通信装置とを備える通信システムが行う通信方法であって、
前記第１通信装置が通信に利用可能な帯域を示す帯域情報に基づいて、前記第１通信装置が実行するアプリケーションに対するアップデートデータを複数のデータに分割する場合の分割サイズを決定する工程と、
決定した分割サイズに応じて、前記アップデートデータを複数のデータに分割する工程と、
分割した複数のデータに関連する関連情報を生成する工程と、
前記第２通信装置が前記関連情報を前記第１通信装置に対して送信する工程と、
前記第１通信装置が前記関連情報に応じて、前記分割サイズに分割された前記アップデートデータを受信してアップデートを行う工程と
を含む通信方法。
【請求項５】
アプリケーションに対するアップデートデータを受信してアップデートを行う通信装置が通信に利用可能な帯域を示す帯域情報に基づいて、前記アップデートデータを複数のデータに分割する場合の分割サイズを決定するステップと、
決定した分割サイズに応じて、前記アップデートデータを複数のデータに分割するステップと、
分割した複数のデータに関連する関連情報を生成するステップと、
前記関連情報を前記通信装置に対して送信するステップと、
をコンピュータに実行させるための通信プログラム。
【発明の詳細な説明】
【技術分野】
【０００１】
本発明は、通信システム、通信方法及び通信プログラムに関する。
【背景技術】
【０００２】
インターネット等の通信ネットワークを介して、遠隔地との間で遠隔会議を行う会議システムが普及している。この会議システムにおいては、遠隔会議を行う出席者等の当事者の一方がいる会議室において、遠隔会議システムの端末装置を用いて会議の当事者などの会議室の画像及び発言などの音声を撮影・収集し、それらをデジタルデータに変換して相手方の端末装置に送信する。相手方の会議室では、ディスプレイに表示及びスピーカにより音声出力する。このように、実際の会議に近い状態で遠隔地間の会議を行う技術が知られている。
【０００３】
この会議システムでは、通話秘匿性能や操作性能を向上させるため、ファームウェア（プログラム、アプリケーション）のアップデートが定期的に行われることがある。この会議システムにおけるプログラムのアップデートは、アップデートデータとメタ情報（メタデータ）を、ネットワークを介してサーバへアクセスして取得し、プログラム及び当該プログラムに依存するバージョンのプログラムをアップデートする方法が知られている。
【０００４】
また、特許文献１には、複数の部分それぞれにつきその部分をダウンロードできるようにしているコンピューティングデバイスを識別するコンピューティングデバイスのリストを受け取り、複数のコンピューティングデバイスから複数の部分それぞれをダウンロードするコンピューティングデバイスのソフトウェアを更新する方法が開示されている。
【０００５】
また、特許文献２には、通信装置に必要なアップデートが存在するか否かを判断し、アップデートが存在する場合に、当該アップデートを実行するか否かの選択操作をユーザより受け付け、アップデートを実行する選択操作が行われた場合に、アップデートを実行するアップデート方法が開示されている。
【発明の概要】
【発明が解決しようとする課題】
【０００６】
しかし、今までのアップデートを行うシステムでは、ダウンロード中にネットワーク断が起こったり、ダウンロードが完了しないうちに端末の電源が落とされた場合、途中までダウンロードしたデータが消えてしまい新たに最初からダウンロードを再開しなければならず、ダウンロード時間が増大してしまうといった問題があった。この問題を解決するために、ダウンロードデータを分割してダウンロードを行い、全ての分割されたデータのダウンロード後に結合してアップデートを行う方法が考えられる。これにより、分割されたデータ単位でのダウンロードが完了していれば、不意な電源断が生じた場合においてもすでにダウンロードが完了しているデータに対しては再度ダウンロードをする必要がなく、ダウンロード時間の増大を防ぐことができる。
【０００７】
また、分割データのダウンロード最中に電源断が起こった場合、狭帯域しか利用できない端末では、再ダウンロードを行う頻度が増え、ダウンロード時間が増大してしまう。それを解決するためにダウンロードデータの分割サイズを小さくした場合、それぞれの分割されたデータをダウンロードするためのオーバーヘッドが大きくなってしまい効率が悪くなる。特に広帯域が利用可能な端末では、メリットよりもデメリットの方が大きい。このように、端末の利用可能ネットワーク帯域により、最適な分割データのサイズが異なるため、単一の分割データのサイズでは全ての端末が効率よくダウンロードを行うことができないという問題があった。
【０００８】
本発明は、上記に鑑みてなされたものであって、利用可能な通信帯域が異なる複数の通信装置のいずれに対しても、アプリケーションのアップデートを効率的に行うことができる通信システム、通信方法及び通信プログラムを提供することを目的とする。
【課題を解決するための手段】
【０００９】
上述した課題を解決し、目的を達成するために、本発明は、第１通信装置と第２通信装置とを備える通信システムであって、前記第１通信装置が通信に利用可能な帯域を示す帯域情報に基づいて、前記第１通信装置が実行するアプリケーションに対するアップデートデータを複数のデータに分割する場合の分割サイズを決定する分割サイズ決定部と、前記分割サイズ決定部が決定した分割サイズに応じて、前記アップデートデータを複数のデータに分割する分割部と、前記分割部が分割した複数のデータに関連する関連情報を生成する関連情報生成部とを有し、前記第２通信装置は、前記関連情報を前記第１通信装置に対して送信し、前記第１通信装置は、前記関連情報に応じて、前記分割サイズに分割された前記アップデートデータを受信してアップデートを行うことを特徴とする。
【発明の効果】
【００１０】
本発明によれば、利用可能な通信帯域が異なる複数の通信装置のいずれに対しても、アプリケーションのアップデートを効率的に行うことができる。
【図面の簡単な説明】
【００１１】
【図１】図１は、遠隔通信システムの構成を例示する模式図である。
【図２】図２は、通話端末のハードウエア構成を例示するブロック図である。
【図３】図３は、中継装置、遠隔通信管理サーバ、アップデートサーバのハードウエア構成を例示するブロック図である。
【図４】図４は、通話端末及びアップデートサーバが有する機能を例示するブロック図である。
【図５】図５は、アップデートサーバの動作例を示すフローチャートである。
【図６】図６は、対応テーブルを示す図表である。
【図７】図７は、通話端末の動作の一例を示す図である。
【図８】図８は、メタデータの一例を示す概念図である。
【図９】図９は、起動画面の一例を示す概念図である。
【図１０】図１０は、設定画面の一例を示す概念図である。
【図１１】図１１は、確認画面の一例を示す概念図である。
【図１２】図１２は、確認ウインドウの一例を示す概念図である。
【図１３】図１３は、アップデート処理の一例を示すフローチャートである。
【図１４】図１４は、アップデート画面の一例を示す概念図である。
【図１５】図１５は、確認画面の一例を示す概念図である。
【図１６】図１６は、通話端末の変形例及びアップデートサーバが有する機能を例示するブロック図である。
【図１７】図１７は、帯域決定部が通信に利用可能な帯域を決定する場合に用いる受信履歴例を示す図表である。
【図１８】図１８は、帯域決定部が通信に利用可能な帯域を計測して利用可能な帯域を決定する場合の動作を示す図である。
【発明を実施するための形態】
【００１２】
以下に添付図面を参照して、実施形態にかかる通信システムを詳細に説明する。
【００１３】
（実施の形態）
図１は、実施の形態の遠隔通信システム（通信システム）１の構成を例示する模式図である。図１に示すように、遠隔通信システム１は、通信ネットワーク２により通信装置としての通話端末（端末）１１ａａ〜１１ａｃ、１１ｂａ〜１１ｂｃ、１１ｃａ〜１１ｃｃ、１１ｄａ〜１１ｄｃ、遠隔通信管理サーバ５０、アップデートサーバ６０及びルータ７０ａ〜７０ｄが通信可能に接続されるシステムである。具体的には、遠隔通信システム１は、インターネット２ｉにルータ７０ａ〜７０ｄを介して接続するＬＡＮ２ａ、２ｂ、２ｃ、２ｄ、遠隔通信管理サーバ５０及びアップデートサーバ６０と、ＬＡＮ２ａに接続する通話端末１１ａａ〜１１ａｃ及び中継装置３０ａと、ＬＡＮ２ｂに接続する通話端末１１ｂａ〜１１ｂｃ及び中継装置３０ｂと、ＬＡＮ２ｃに接続する通話端末１１ｃａ〜１１ｃｃ及び中継装置３０ｃと、ＬＡＮ２ｄに接続する通話端末１１ｄａ〜１１ｄｃ及び中継装置３０ｄとを有する構成である。遠隔通信システム１では、遠隔通信管理サーバ５０の管理の下、地域Ａの通話端末１１ａａ〜１１ａｃ、１１ｂａ〜１１ｂｃ、地域Ｂの通話端末１１ｃａ〜１１ｃｃ、１１ｄａ〜１１ｄｃの各々が、中継装置３０ａ、３０ｂ、３０ｃ、３０ｄによる通信データの中継を介して、互いに音声又は映像を送受信することにより通話を行う。
【００１４】
具体的には、遠隔通信管理サーバ５０は、通話端末１１ａａ〜１１ａｃ、１１ｂａ〜１１ｂｃ、１１ｃａ〜１１ｃｃ、１１ｄａ〜１１ｄｃ、中継装置３０ａ、３０ｂ、３０ｃ、３０ｄなどの通信アドレス、中継装置３０ａ、３０ｂ、３０ｃ、３０ｄの各々が中継を行う通話端末、各通話端末の通話状態などの情報を管理する。例えば、通話端末１１ａａが通話端末１１ｃａと通話を行う場合は、中継装置３０ａに通話端末１１ｃａへの通話の中継を依頼する。中継装置３０ａは、遠隔通信管理サーバ５０に通話端末１１ａａの通話の開始を通知するとともに、通話端末１１ｃａへ通話を中継するための中継装置３０ｃの通信アドレスを遠隔通信管理サーバ５０より取得する。次いで、中継装置３０ａは通話端末１１ｃａへ通話の中継を中継装置３０ｃに依頼し、中継装置３０ｃは、通話端末１１ｃａとの通信セッションを開始する。次いで、中継装置３０ｃは、通話端末１１ｃａとの通信セッションの開始を遠隔通信管理サーバ５０へ通知する。
【００１５】
これにより、中継装置３０ａ、３０ｃを介して、通話端末１１ａａ及び通話端末１１ｃａとの間の通話が開始される。また、遠隔通信管理サーバ５０は、通話端末１１ａａ及び通話端末１１ｃａが通話中であることを管理する。例えば、遠隔通信管理サーバ５０は、通話端末１１ａｂから通話端末１１ａａや通話端末１１ｃａなどの通話状態の問い合わせがあった場合は、オンラインであるが互いに通話中であることを返信する。
【００１６】
なお、以下の説明において、同種の装置の中の任意の装置について説明を行う場合は、数字の後の英数字を略した符号を用いるものとする。例えば、通話端末１１ａａ〜１１ａｃ、１１ｂａ〜１１ｂｃ、１１ｃａ〜１１ｃｃ、１１ｄａ〜１１ｄｃは通話端末１１と略すものとする。また、中継装置３０ａ〜３０ｄは中継装置３０と略すものとする。
【００１７】
アップデートサーバ６０は、通話端末１１のプログラムや各種設定情報のアップデートにかかる情報を管理し、通話端末１１の要求に応じてその情報を提供するアップデート情報提供装置である。アップデートにかかる情報としては、通話端末１１のプログラムや各種設定情報の過去のバージョンから最新のバージョンまでの全てのバージョンのデータファイルと、バージョンごとにアップデートの内容、及び後述するアップデートデータの分割に関連する情報を記載したメタデータ（関連情報）などである。アップデートにかかる情報として全てのバージョンのデータをアップデートサーバ６０が管理する理由は、通話端末１１がアップデートを行うタイミングが各々異なるためである。
【００１８】
例えば、頻繁にアップデートを行っている通話端末１１は、最新のバージョンへのアップデートを行うだけでよいかもしれないが、アップデートの間隔が長い通話端末１１は、何回かバージョンアップが繰り返された後にアップデートを行うかもしれない。このような場合は、直に最新のバージョンへアップデートせずに、最新のバージョンと依存関係のある古いバージョンへのアップデートを経ることがある。このように、依存関係のある古いバージョンへのアップデートを経る通話端末１１もあることから、アップデートサーバ６０は、アップデートにかかる情報として全てのバージョンのデータを管理している。
【００１９】
ここで、アップデートの種類には、通常アップデートと強制アップデートの２種類がある。通常アップデートは、バグ等の障害対応や機能追加を目的として実施されるアップデートである。
【００２０】
強制アップデートは、通話端末１１そのものの機能とは異なる装置、機能の変更に伴って、強制的に行うことを目的としたアップデートである。例えば、中継装置３０側において、通話の際に送受信する音声や画像のデータフォーマットやビデオコーデックが変更されたり、エンコーダのアップデート等の映像に関する中継装置３０のバージョンアップが実施される場合がある。また、中継装置３０との通信プロトコルが変更される場合もある。このような変更は、音声や画像、映像そのものの構造が変わり、あるいは通信プロトコルの変更に伴う中継装置３０との通信手順そのものが変わり、もしくは中継装置３０側の機能が変わるため、アップデート前の通話端末１１では、通話端末１１の本来の機能である通話を実現することができない。このため、このような場合には、中継装置３０のアップデート後のバージョンに適合させるために強制アップデートを行う。
【００２１】
また、中継装置３０側でセキュリティホールが発見された場合等、セキュリティ面で問題がある等に、これを回避するようなセキュリティホール対応のアップデートを中継装置３０側で行う場合がある。このような場合にも、アップデート前の通話端末１１では通話すら実行できないことになるため、中継装置３０側のセキュリティホール対応に適合させるために強制アップデートが実施される。
【００２２】
次に、通話端末１１のハードウエア構成を説明する。図２は、通話端末１１のハードウエア構成を例示するブロック図である。図２に示すように、通話端末１１は、ＣＰＵ１０１（Ｃｅｎｔｒａｌ  Ｐｒｏｃｅｓｓｉｎｇ  Ｕｎｉｔ）、ＲＯＭ１０２（Ｒｅａｄ  Ｏｎｌｙ  Ｍｅｍｏｒｙ）、ＲＡＭ１０３（Ｒａｎｄｏｍ  Ａｃｃｅｓｓ  Ｍｅｍｏｒｙ）、記憶部１０５、メディアドライブ１０７、操作部１０８、ネットワークＩ／Ｆ１１１、撮像素子Ｉ／Ｆ１１２、音声入出力Ｉ／Ｆ１１３及びディスプレイＩ／Ｆ１１４を備え、各部がバス１１０により互いに接続される構成である。
【００２３】
ＣＰＵ１０１は、ＲＯＭ１０２や記憶部１０５に記憶されたプログラム１０４をＲＡＭ１０３に展開して順次実行することにより、通話端末１１の動作を中央制御する。記憶部１０５は、ＨＤＤ（Ｈａｒｄ  Ｄｉｓｋ  Ｄｒｉｖｅ）やＳＳＤ（Ｓｏｌｉｄ  Ｓｔａｔｅ  Ｄｒｉｖｅ）などであり、読み出し／書き込み可能にデータを記憶する。具体的には、記憶部１０５は、ＣＰＵ１０１が実行するためのプログラム１０４や各種設定情報を記憶する。アップデートの際には、この記憶部１０５に記憶されるプログラム１０４や各種設定情報が更新される。
【００２４】
メディアドライブ１０７は、光ディスクなどのメディア１０６の読み出し／書き込みを行うドライブ装置である。操作部１０８は、キーボード、各種操作キー、ディスプレイ１３上に積層配置されたタッチパネル等であり、ユーザの操作入力を受け付ける。ネットワークＩ／Ｆ１１１は、通信ネットワーク２と接続してデータ通信を行うインタフェースである。撮像素子Ｉ／Ｆ１１２は、デジタルカメラであるカメラ１２と接続し、カメラ１２が撮像した画像を取得するためのインタフェースである。音声入出力Ｉ／Ｆ１１３は、マイク１４、スピーカ１５と接続し、マイク１４による音声入力や、スピーカ１５を介した音声出力を行うインタフェースである。ディスプレイＩ／Ｆ１１４は、ＬＣＤ（Ｌｉｑｕｉｄ  Ｃｒｙｓｔａｌ  Ｄｉｓｐｌａｙ）などであるディスプレイ１３と接続し、ディスプレイ１３へ表示データを出力するインタフェースである。
【００２５】
なお、本実施の形態では、ディスプレイ１３を用いているが、ディスプレイ１３に代えて、プロジェクタ等、他の表示機器を接続する構成としてもよい。
【００２６】
通話端末１１は、プログラム１０４を実行したＣＰＵ１０１の制御の下、例えば他の通話端末との通話時には、カメラ１２から取得した画像やマイク１４から入力された音声をネットワークＩ／Ｆ１１１を介して中継装置３０へ出力する。また、中継装置３０より中継され、ネットワークＩ／Ｆ１１１を介して入力された他の通話端末からの音声をスピーカ１５より出力し、同様に他の通話端末からの画像をディスプレイ１３により表示する。これにより、通話端末１１は、画像及び音声による他の通話端末との通話、いわゆるテレビ会議を実現する。
【００２７】
次に、中継装置３０、遠隔通信管理サーバ５０、アップデートサーバ６０のハードウエア構成を説明する。図３は、中継装置３０、遠隔通信管理サーバ５０、アップデートサーバ６０のハードウエア構成を例示するブロック図である。図３に示すように、中継装置３０、遠隔通信管理サーバ５０、アップデートサーバ６０は、ＣＰＵ２０１、ＲＯＭ２０２、ＲＡＭ２０３、記憶部２０４、ディスプレイ２０５、ネットワークＩ／Ｆ２０６、キーボード２０７、マウス２０８、メディアドライブ２０９及びＣＤ−ＲＯＭドライブ２１１を備え、各部がバス２１４により互いに接続される構成である。中継装置３０、遠隔通信管理サーバ５０、アップデートサーバ６０は、いわゆるＰＣ（Ｐｅｒｓｏｎａｌ  Ｃｏｍｐｕｔｅｒ）やＷＳ（Ｗｏｒｋ  Ｓｔａｔｉｏｎ）などの機器である。
【００２８】
ＣＰＵ２０１は、ＲＯＭ２０２や記憶部２０４に記憶されたプログラムをＲＡＭ２０３に展開して順次実行することにより、自装置の動作を中央制御する。記憶部２０４は、ＨＤＤやＳＳＤなどであり、読み出し／書き込み可能にデータを記憶する。例えば、アップデートサーバ６０では、アップデートにかかる情報などが記憶部２０４に記憶されている。
【００２９】
ディスプレイ２０５は、例えばＬＣＤなどである。ネットワークＩ／Ｆ２０６は、通信ネットワーク２と接続してデータ通信を行うインタフェースである。キーボード２０７、マウス２０８は、ユーザの操作入力を受け付ける。メディアドライブ２０９は、光ディスクなどのメディア２１０の読み出し／書き込みを行うドライブ装置である。ＣＤ−ＲＯＭドライブ２１１は、ＣＤ−ＲＯＭ２１３の読み出しを行うドライブ装置である。例えば、アップデートサーバ６０では、メディア２１０やＣＤ−ＲＯＭ２１３によりアップデートにかかる最新の情報が提供され、記憶部２０４に記憶される。
【００３０】
次に、通話端末１１及びアップデートサーバ６０が有する機能について詳述する。図４は、通話端末１１及びアップデートサーバ６０が有する機能を例示するブロック図である。通話端末１１及びアップデートサーバ６０が有する各機能それぞれは、ＣＰＵ等により実行されるソフトウェア、又はハードウェアのいずれで構成されてもよい。
【００３１】
通話端末（通信装置）１１は、送受信部１１０１、ユーザインタフェース部１１０２及びアップデート部１１０３を有し、アプリケーションに対するアップデートデータを受信してアップデートを行う。送受信部１１０１は、通信ネットワーク２を介してアップデートサーバ６０との間でデータの送受信を行う。具体的には、送受信部１１０１は、記憶部１０５の設定情報などに予め設定されているアップデートサーバ６０の通信アドレスや遠隔通信管理サーバ５０へ問い合わせて取得したアップデートサーバ６０の通信アドレスをもとに、アップデートサーバ６０との間で所定の通信プロトコルを用いた通信セッションを開始することにより、アップデートサーバ６０との間でデータの送受信を行う。
【００３２】
このデータの送受信により、送受信部１１０１は、アップデートサーバ６０が管理しているアップデートにかかる情報を取得する。また、通話端末１１はこのデータの送信時に、自身が利用可能な通信帯域情報をサーバに通知する。通信帯域情報は、あらかじめユーザインタフェース部を通じて通話端末に設定されている情報を用いる。
【００３３】
ユーザインタフェース部１１０２は、スピーカ１５による音声出力、ディスプレイ１３の表示画面、操作部１０８によるユーザの操作入力の受け付けなどを制御して、ユーザと通話端末１１との間の情報伝達を制御するインタフェースである。具体的には、ユーザインタフェース部１１０２は、スピーカ１５による音声出力やディスプレイ１３の表示画面でユーザへの各種通知を行うユーザ通知部１１０４と、操作部１０８によるユーザの操作入力を受け付ける操作入力受付部１１０５とを有する。
【００３４】
アップデート部１１０３は、判断部及びアップデート処理部として機能し、送受信部１１０１によりアップデートサーバ６０から取得したアップデートにかかる情報をもとに、記憶部１０５が記憶するプログラム１０４や各種設定情報のアップデートを実行する。アップデート部１１０３が実行するアップデートについては、アップデート処理（ステップＳ１６）にて詳細に説明する。
【００３５】
アップデートサーバ（通信装置）６０は、送受信部６０１、アップデートデータ提供部６０２、分割サイズ決定部６０３、分割部６０４、メタデータ生成部（関連情報生成部）６０５及びアップデートデータ管理部６０６を有する。そして、アップデートサーバ６０は、通話端末１１に対してアップデートデータ及び当該アップデートデータに関連する情報を送信する。
【００３６】
送受信部６０１は、通信ネットワーク２を介して通話端末１１との間でデータの送受信を行う。具体的には、送受信部６０１は、通信ネットワーク２を介した通話端末１１の要求に応じて所定の通信プロトコルを用いた通信セッションを開始することにより、通話端末１１との間でデータの送受信を行う。
【００３７】
アップデートデータ提供部６０２は、送受信部６０１によってデータの送受信を行っている通話端末１１からの要求に応じて、アップデートサーバ６０が管理しているアップデートにかかる情報を通話端末１１に提供する。また、アップデートデータ提供部６０２は、通話端末１１からのメタデータ取得要求及び帯域情報を受け付ける。帯域情報とは、通話端末１１が通信に利用可能な帯域を示す情報である。
【００３８】
分割サイズ決定部６０３は、帯域情報に基づいてアップデートデータを複数のデータに分割する場合の分割サイズを決定する。例えば、分割サイズ決定部６０３は、図６に示した帯域情報と分割サイズとの対応を予め定めた対応テーブルを有する。そして、分割サイズ決定部６０３は、対応テーブルを参照することにより、メタデータの取得要求を受け付けた通話端末１１の帯域情報に応じてアップデートデータを複数のデータに分割する場合の分割サイズを決定する。例えば、通話端末１１がメタデータ要求時に帯域情報を「４００Ｋｂｐｓ」と通知した場合、分割サイズ決定部６０３は、分割サイズを「５１２ＫＢｙｔｅ」と決定する。
【００３９】
分割部６０４は、分割サイズ決定部６０３が決定した分割サイズに応じて、アップデートデータを複数のデータに分割する。
【００４０】
メタデータ生成部６０５は、分割部６０４が複数のデータに分割したアップデートデータに関連する情報であるメタデータ（関連情報）を、分割したデータに合わせて生成する。メタデータの例については、図８を用いて後述する。
【００４１】
アップデートデータ管理部６０６は、分割部６０４が複数のデータに分割したアップデートデータに関連するメタデータ（関連情報）などを保持する。また、アップデートデータ管理部６０６は、予め定め分割されたデータを保持していてもよい。さらに、アップデートデータ管理部６０６は、メタデータについても同様に、予め定め分割されたデータに対応したメタデータを予め定め保持していてもよい。
【００４２】
図５は、アップデートサーバ６０の動作例を示すフローチャートである。図５に示すように、アップデートサーバ６０は、アップデートデータ提供部６０２が送受信部６０１を介して通話端末１１からのメタデータ取得要求及び帯域情報を受け付ける（ステップＳ１２０）。
【００４３】
分割サイズ決定部６０３は、帯域情報に基づいてアップデートデータを複数のデータに分割する場合の分割サイズを決定する（ステップＳ１２２）。
【００４４】
分割部６０４は、分割サイズ決定部６０３が決定した分割サイズに応じて、アップデートデータを複数のデータに分割する（ステップＳ１２４）。
【００４５】
メタデータ生成部６０５は、分割部６０４が分割したデータに合わせて関連情報を生成する（ステップＳ１２６）。
【００４６】
アップデートデータ管理部６０６は、通話端末１１へメタデータを送信する（ステップＳ１２８）。そして、通話端末１１は、メタデータに応じて分割サイズに分割されたアップデートデータを受信することとなる。
【００４７】
ここで、上述した機能構成により実行される通話端末１１の動作の詳細を説明する。図７は、通話端末１１の動作の一例を示す図である。
【００４８】
図７に示すように、ユーザインタフェース部１１０２は、操作部１０８の電源スイッチなどの操作に応じて自装置の電源投入（電源オン）を行い（ステップＳ１）、起動画面をディスプレイ１３に表示させる（ステップＳ２）。この起動画面は、ＣＰＵ１０１の制御の下で遠隔通信管理サーバ５０へ問い合わせて得られた各通話端末１１の通話状態を一覧表示した表示画面である（詳細は後述する）。
【００４９】
アップデート部１１０３は、Ｓ１による電源投入後の起動時において、自装置のアップデートの確認を開始する（ステップＳ３）。なお、以下の説明では、プログラムのアップデートを例示するが、各種設定情報のアップデートも同様にして行われることは言うまでもないことである。
【００５０】
アップデートの確認が開始されると、アップデート部１１０３は、送受信部１１０１によって、最新バージョンのプログラムのメタデータをアップデートサーバ６０に対して要求し（ステップＳ４）、その要求に対応してアップデートデータ提供部６０２が提供するメタデータを取得する（ステップＳ５）。
【００５１】
ここで、メタデータの詳細について説明する。図８は、メタデータの一例を示す概念図である。図８に示すように、各バージョンのメタデータは、“ｖｅｒｓｉｏｎ”、“ｄｅｐｅｎｄｅｎｃｙ”、“ｄｅｓｃｒｉｐｔｉｏｎ”、“ｆｉｌｅｓ”、“ｓｃｒｉｐｔｎａｍｅ”、“ｒｅｑｕｉｒｅ＿ｒｅｂｏｏｔ”、“ｆｏｒｃｅ＿ｕｐｄａｔｅ”などのデータ項目を含む構成である。なお、図８に示した例では、アプリケーションのアップデートデータは、３つのファイルに分割されたことが示されている。
【００５２】
“ｖｅｒｓｉｏｎ”には、“１．０．２”などのバージョン番号が記述される。“ｄｅｐｅｎｄｅｎｃｙ”には、“１．０．１”などの、互いに依存関係を有する他のバージョンを示すバージョン番号が記述される。したがって、“ｄｅｐｅｎｄｅｎｃｙ”のデータ項目に記述されたバージョン番号を確認することにより、依存関係にあるバージョンへと遡ることが可能である。“ｄｅｓｃｒｉｐｔｉｏｎ”には、“Ｉｔ  ｉｓ  ｓａｍｐｌｅ  ｄａｔａ．”などのバージョンの詳細が記述される。“ｆｉｌｅｓ”には、アップデートサーバ６０が管理しているアップデートの実体となるプログラム（データファイル）のリストとその格納先や、それらデータファイルのチェックサムなどが記述される。したがって、アップデート部１１０３は、“ｆｉｌｅｓ”のデータ項目に記述された内容をもとに、送受信部１１０１によってデータファイルを取得することにより、メタデータに記述されたバージョンにかかるアップデートを実行することができる。“ｓｃｒｉｐｔｎａｍｅ”には、アップデートを実行する際に実行するスクリプト名が記述される。“ｒｅｑｕｉｒｅ＿ｒｅｂｏｏｔ”には、アップデートを実行した後に、装置の再起動を行うか否かを示すフラグ（“ｔｒｕｅ”又は“ｆａｌｓｅ”）が記述される。“ｆｏｒｃｅ＿ｕｐｄａｔｅ”には、強制のアップデートであるか否かを示すフラグ（“ｔｒｕｅ”又は“ｆａｌｓｅ”）が記述される。
【００５３】
プログラム１０４のアップデートには、ネットワークＩ／Ｆ１１１、撮像素子Ｉ／Ｆ１１２、音声入出力Ｉ／Ｆ１１３、ディスプレイＩ／Ｆ１１４等のデバイス制御にかかるものがある。このようなデバイス制御のアップデートでは、アップデート後に再起動が必要となることから、“ｒｅｑｕｉｒｅ＿ｒｅｂｏｏｔ”に“ｔｒｕｅ”が記述される。また、プログラム１０４のアップデートには、上述したように、通常アップデートと強制アップデートがあり、強制アップデートを行う場合には、“ｆｏｒｃｅ＿ｕｐｄａｔｅ”に“ｔｒｕｅ”が記述される。
【００５４】
次いで、アップデート部１１０３は、取得したメタデータの“ｄｅｐｅｎｄｅｎｃｙ”のデータ項目に記述された内容をもとに、依存するバージョンの有無を確認する（ステップＳ６）。例えば、図８に示すように、“ｄｅｐｅｎｄｅｎｃｙ”のデータ項目に“１．０．１”などの他のバージョンを示すバージョン番号が記述されている場合には、依存するバージョンがあるものとする。また、“ｄｅｐｅｎｄｅｎｃｙ”のデータ項目に何も記述がない場合には、依存するバージョンがないものとする。
【００５５】
次いで、アップデート部１１０３は、Ｓ６による確認の結果、依存するバージョンが有るか否かを判定する（ステップＳ７）。依存するバージョンがある場合（ステップＳ７：Ｙｅｓ）、アップデート部１１０３は、送受信部１１０１によって、依存するバージョンのプログラムのメタデータをアップデートサーバ６０に対して要求し（ステップＳ８）、その要求に対応してアップデートデータ提供部６０２が提供する、依存するバージョンのメタデータを取得して（ステップＳ９）、Ｓ６へ処理を戻す。したがって、アップデート部１１０３は、最新バージョンに対して依存するバージョンを順次遡って、それらのバージョンにかかるメタデータを取得する。
【００５６】
次いで、アップデート部１１０３は最新バージョンのメタデータの“ｖｅｒｓｉｏｎ”に記述されたバージョン番号と、自装置の記憶部１０５に記憶されたプログラム１０４のバージョン番号とを比較することにより、自装置のアップデートが存在するか否か（すなわち、アップデート済みか否か）を判定する（ステップＳ１０）。具体的には、最新バージョンのバージョン番号と、プログラム１０４のバージョン番号とが一致する場合は、プログラム１０４が最新バージョンであることから、自装置に必要なアップデートが存在しない（すなわち、アップデート済み）と判定する。また、最新バージョンのバージョン番号と、プログラム１０４のバージョン番号とが一致しない場合は、プログラム１０４が古いバージョンであることから、自装置に必要なアップデートが存在する（すなわち、アップデート済みでない）と判定する。自装置に必要なアップデートが存在しない場合（ステップＳ１０：Ｎｏ）は、アップデートを実行する必要がないことから、通常の動作を継続させる（ステップＳ１９）。
【００５７】
自装置のアップデートが存在する場合（ステップＳ１０：Ｙｅｓ）、アップデート部１１０３は、そのアップデートに関する情報をユーザインタフェース部１１０２へ通知する（ステップＳ１１）。具体的には、最新バージョン及びその最新バージョンに依存するバージョンのメタデータのうち、“ｆｉｌｅｓ”、“ｓｃｒｉｐｔｎａｍｅ”などのユーザへの通知に不要なデータ項目以外のデータ項目を、アップデートに関する情報としてユーザインタフェース部１１０２へ通知する。
【００５８】
ユーザインタフェース部１１０２のユーザ通知部１１０４では、Ｓ１１においてアップデート部１１０３より通知されたアップデートに関する情報をもとに、自装置に必要なアップデートが存在することをディスプレイ１３の起動画面に表示して、ユーザへ通知する（ステップＳ１２）。
【００５９】
ここで、起動画面の詳細について説明する。図９は、起動画面Ｇ１の一例を示す概念図である。図９に示すように、起動画面Ｇ１は、各通話端末の通話状態を一覧表示する主画面Ｇ１１と、自装置のステータスを表示するステータス画面Ｇ１２とを含む構成である。ユーザ通知部１１０４は、アップデートに関する情報がアップデート部１１０３より通知された場合は、ステータス画面Ｇ１２にアップデートがある旨の表示を行うことにより、ユーザへの通知を行う。なお、アップデートがある旨の表示は、予め設定されたアイコン画像を主画面Ｇ１１に表示してもよく、図示したレイアウトに限定しない。なお、図面で例示している画面例（図９〜１２、１４、１５等）において、中抜き又は黒塗りの四角で表された部分は、メッセージを表示する可能性のある領域を示しており、例えばシステム上で予め予約されたメッセージ表示領域などである。
【００６０】
また、ユーザ通知部１１０４は、アップデートに関する情報として含まれるデータ項目の中で“ｆｏｒｃｅ＿ｕｐｄａｔｅ”の記述が“ｔｒｕｅ”である場合は、自装置に存在するアップデートが強制のアップデートであることを起動画面Ｇ１に表示してユーザに通知する。具体的には、アップデートが強制のアップデートである旨をステータス画面Ｇ１２に表示してもよいし、主画面Ｇ１１に表示されている一覧表示をグレーアウトするなどして、アップデート以外の操作が無効であることを通知してもよい。
【００６１】
Ｓ１２によるユーザへの通知によって、ユーザインタフェース部１１０２の操作入力受付部１１０５によりアップデートなどの各種設定を行うための操作指示が受け付けられた場合、ユーザインタフェース部１１０２は、設定画面をディスプレイ１３に表示させる（ステップＳ１３）。
【００６２】
図１０は、設定画面Ｇ２の一例を示す概念図である。図１０に示すように、設定画面Ｇ２は、操作入力受付部１１０５によりユーザの選択操作を受け付けて、各種設定を行うための設定ボタンＧ２３〜Ｇ２６を表示する主画面Ｇ２１を含む構成である。設定ボタンＧ２３〜Ｇ２６の中で設定ボタンＧ２６がアップデートの実行を指示するためのボタンである。この設定ボタンＧ２６は、アップデートに関する情報がアップデート部１１０３より通知されず、自装置にアップデートが存在しない場合には、グレーアウトするなどして、選択操作が無効とされている。逆に、アップデートに関する情報がアップデート部１１０３より通知され、自装置にアップデートが存在する場合には、グレーアウトが解除され、操作入力受付部１１０５によるユーザの選択操作を受け付ける状態となる。この場合、設定ボタンＧ２６には、アップデートに関する情報として含まれるデータ項目の“ｖｅｒｓｉｏｎ”の記述をもとに、アップデートが行われる最新バージョンのバージョン番号などを記載してもよい。図示例では、バージョン番号が２．０の最新バージョンにアップデートすることが記載されている。なお、設定画面Ｇ２に、さらに、自装置のステータスを表示するステータス画面を表示するように構成してもよい。
【００６３】
Ｓ１３において、設定ボタンＧ２６の選択操作が行われた場合、ユーザインタフェース部１１０２は、アップデートの実行を確認する確認画面をディスプレイ１３に表示させる（ステップＳ１４）。
【００６４】
図１１は、確認画面Ｇ３の一例を示す概念図である。図１１に示すように、確認画面Ｇ３は、実行するアップデートの内容を表示するアップデート表示Ｇ３３と、その内容でのアップデートの実行又はキャンセルの指示をユーザより受け付けるための操作ボタンＧ３４、Ｇ３５とを含む主画面Ｇ３１と、自装置のステータスを表示するステータス画面Ｇ３２とを含む構成である。アップデート表示Ｇ３３には、自装置のプログラム１０４のバージョン番号である現在のバージョンの他、アップデートに関する情報として含まれるデータ項目の“ｖｅｒｓｉｏｎ”の記述をもとにした、アップデートが行われる最新バージョンのバージョン番号などの情報が表示され、ユーザに通知される。したがって、ユーザは、アップデート表示Ｇ３３の表示内容により、どのバージョン番号へのアップデートが行われるかを確認できる。なお、確認画面Ｇ３のアップデート表示Ｇ３３に、さらに、再起動が行われるか否かの情報を表示するように構成してもよい。
【００６５】
図１２は、確認ウインドウＧ３６の一例を示す概念図である。確認画面Ｇ３において、アップデートの実行を指示する操作ボタンＧ３５が選択された場合は、再度ユーザに確認を促す確認ウインドウＧ３６を表示してもよい。確認ウインドウＧ３６には、アップデートが行われる最新バージョンのバージョン番号などの情報の他、予め設定されたアップデート時の注意事項などを表示する。この確認画面Ｇ３では、アップデートの実行が指示された場合に確認ウインドウＧ３６を表示することにより、ユーザへの注意喚起を促すことができる。なお、確認ウィンドウＧ３６に、さらに、再起動が行われるか否かの情報を表示するように構成してもよい。
【００６６】
図７に戻り、アップデート部１１０３では、確認画面Ｇ３での操作ボタンＧ３４、Ｇ３５の選択操作をもとに、アップデートを実行するか否かを判定する（ステップＳ１５）。アップデートの実行を指示する操作ボタンＧ３５が選択された場合（ステップＳ１５：Ｙｅｓ）、アップデート部１１０３は、取得しているメタデータをもとにアップデート処理を実行する（ステップＳ１６）。
【００６７】
アップデートの実行をキャンセルする操作ボタンＧ３４が選択されるなどして、操作ボタンＧ３５の選択が行われなかった場合（ステップＳ１５：Ｎｏ）、アップデート部１１０３は、取得しているメタデータの“ｆｏｒｃｅ＿ｕｐｄａｔｅ”の記述をもとに、実行されなかったアップデートの中に強制のアップデートが含まれるか否かを判定する（ステップＳ１７）。強制のアップデートが含まれる場合（ステップＳ１７：Ｙｅｓ）、アップデート部１１０３は、自装置の処理を終了させる終了処理を行い（ステップＳ１８）、装置の電源を落とす。このように、強制のアップデートが実行されない場合は、通話すら実行できないこととなるため、装置の電源を落として無駄な操作が行われることを未然に防止する。逆に、強制のアップデートが含まれない場合（ステップＳ１７：Ｎｏ）、アップデート部１１０３は、現時点ではアップデートを実行しないことから、通常の動作を継続させる。これにより、ユーザは、アップデートよりも通話を優先することができる。
【００６８】
すなわち、通話端末１１では、自装置のアップデートが存在する場合には、そのアップデートの存在をユーザインタフェース部１１０２のユーザ通知部１１０４よりユーザに通知する。そして、通話端末１１では、操作入力受付部１１０５により、そのアップデートを実行するか否かの選択操作をユーザより受け付け、アップデートを実行する選択操作が行われた場合に、アップデート部１１０３によるアップデート処理が実行される。したがって、通話端末１１は、自装置に実行するアップデートがある場合の、そのアップデートの実行をユーザが選択可能となる。
【００６９】
ここで、アップデート処理（ステップＳ１６）の詳細について説明する。図１３は、アップデート処理の一例を示すフローチャートである。
【００７０】
図１３に示すように、アップデート部１１０３は、アップデート処理が開始されると（ステップＳ１００）、カメラ１２、マイク１４、スピーカ１５などの外部装置と接続するための撮像素子Ｉ／Ｆ１１２、音声入出力Ｉ／Ｆ１１３等のインタフェース部の機能を停止する。インタフェース部が稼働していると、そのインタフェース部にかかるプログラム１０４が使用中であるため、アップデートがエラーとなることがある。このエラーを未然に防止するため、アップデート部１１０３は、アップデート処理の開始に伴い、上述したインタフェース部の機能を停止する。
【００７１】
次いで、アップデート部１１０３は、取得したメタデータの“ｆｉｌｅｓ”からアップデートの実体となるプログラムのファイルリストと、それらファイルのチェックサムとを取得する（ステップＳ１０１）。なお、依存関係を有する複数のバージョンのメタデータを取得している場合には、バージョン番号が古いものから順にＳ１０１〜Ｓ１０６の処理が行われるものとする。
【００７２】
次いで、アップデート部１１０３は、Ｓ１０１で取得したファイルリストのファイルをアップデートサーバ６０から取得し（ステップＳ１０２）、取得したファイルのチェックサムを確認する（ステップＳ１０３）。次いで、アップデート部１１０３は、アップデートの進行状況をユーザインタフェース部１１０２に通知する（ステップＳ１０４）。この進行状況の通知は、ファイルリストに含まれる複数のファイルの中で、どのファイルまでＳ１０２、Ｓ１０３の処理を終えたかを通知する。また、依存関係を有する複数のバージョンのアップデートを行う場合には、どのバージョンのアップデートまでを終えたかを通知してもよい。ユーザインタフェース部１１０２では、通知されたアップデートの進行状況をディスプレイ１３に画面表示してユーザに通知する。
【００７３】
図１４は、アップデート画面Ｇ４の一例を示す概念図である。図１４に示すように、アップデート画面Ｇ４は、アップデート部１１０３によるアップデート処理中にユーザインタフェース部１１０２がディスプレイ１３に表示させる画面である。アップデート画面Ｇ４には、アップデート部１１０３より通知されたアップデートの進行状況を表示するアップデートステータスウインドウＧ４１と、アップデートの中止を指示するための操作ボタンＧ４２とが表示される。ユーザは、アップデートステータスウインドウＧ４１の表示内容により、アップデートの進行状況を確認できる。
【００７４】
なお、この他、アップデート画面Ｇ４に、アップデートの残り時間や現在の回線速度をリアルタイムで表示するように構成してもよい。この場合には、ユーザにアップデートの状況をより詳細に把握させることができるという利点がある。
【００７５】
次いで、アップデート部１１０３は、エラーの発生の有無を判定し（ステップＳ１０５）、エラーの発生がある場合（ステップＳ１０５：Ｙｅｓ）はＳ１０１〜Ｓ１０６の処理を抜けてＳ１０７へ処理を進める。このＳ１０５では、アップデート実行中に何らかの要因で発生するエラー（例えば、Ｓ１０３におけるチェックサムの相違）の他、アップデート画面Ｇ４の操作ボタンＧ４２の操作によるアップデートの中止や、Ｓ１０２、Ｓ１０３で行ったアップデートのバージョンが再起動を要する場合にもエラーとして判定される。したがって、バージョン番号が古いものから順にアップデートが行われる場合には、再起動を要するバージョンのアップデートまでが行われた段階で、Ｓ１０１〜Ｓ１０６の処理を抜けることとなる。
【００７６】
エラーの発生がない場合（ステップＳ１０５：Ｎｏ）、アップデート部１１０３は、取得したメタデータにかかる、全てのバージョンのアップデートが完了したか否かを判定する（ステップＳ１０６）。全てのバージョンのアップデートが完了していない場合（ステップＳ１０６：Ｎｏ）には、Ｓ１０１へ戻り、アップデート処理を継続する。全てのバージョンのアップデートが完了した場合（ステップＳ１０６：Ｙｅｓ）には、Ｓ１０１〜Ｓ１０６の処理を抜け、Ｓ１０７へ処理を進める。
【００７７】
Ｓ１０７において、アップデート部１１０３は、Ｓ１０６〜Ｓ１０７によるアップデートの結果をユーザインタフェース部１１０２へ通知する。ユーザインタフェース部１１０２では、通知されたアップデートの結果をディスプレイ１３に画面表示してユーザに通知する。
【００７８】
図１５は、確認画面Ｇ５の一例を示す概念図である。アップデートの結果を受けたユーザインタフェース部１１０２は、図１５に示すように、Ｓ１０６〜Ｓ１０７によるアップデート結果Ｇ５１や、アップデート後のシャットダウンや再起動の操作を受け付けるための操作ボタンＧ５２、Ｇ５３を確認画面Ｇ５に表示する。アップデート結果Ｇ５１には、アップデート前のバージョンにかかる情報の他、Ｓ１０６〜Ｓ１０７のアップデートによる現在のバージョンにかかる情報などが表示される。このアップデート結果Ｇ５１の表示内容により、ユーザは、アップデートの結果を確認できる。
【００７９】
次いで、アップデート部１１０３は、Ｓ１０１〜Ｓ１０６でアップデートを行った際のメタデータに含まれる、“ｒｅｑｕｉｒｅ＿ｒｅｂｏｏｔ”の記述をもとに、再起動が必要であるか否かを判定する（ステップＳ１０８）。再起動が必要でない場合（ステップＳ１０８：Ｎｏ）、アップデート部１１０３は、再起動することなくアップデート処理を終了する（ステップＳ１０９）。再起動が必要である場合（ステップＳ１０８：Ｙｅｓ）、アップデート部１１０３は、自装置を再起動させて処理を終了する（ステップＳ１１０）。このように、再起動が必要なアップデートが実行された場合は、ユーザが操作することなく、アップデート後に再起動されることとなる。
【００８０】
（通話端末１１の変形例）
次に、通話端末１１の変形例について説明する。図１６は、通話端末１１の変形例、及びアップデートサーバ６０が有する機能を例示するブロック図である。通話端末１１の変形例は、図４に示した通話端末１１が有する機能に加えて、帯域決定部１１０６を有する。
【００８１】
帯域決定部１１０６は、アップデートデータのダウンロードに利用できる通信帯域を決定する。具体的には、帯域決定部１１０６は、過去にアップデートデータを受信したときの通信帯域に基づいて、通信に利用可能な帯域を決定して帯域情報とする。また、帯域決定部１１０６は、アップデートデータの受信前に、通信に利用可能な帯域を計測し、計測結果に基づいて通信に利用可能な帯域を決定し、決定した帯域を帯域情報とする機能も備えている。
【００８２】
図１７は、帯域決定部１１０６が通信に利用可能な帯域を決定する場合に用いる受信履歴例を示す図表である。帯域決定部１１０６は、過去にアップデートデータのダウンロードを行ったときのダウンロードデータの容量とダウンロードに要した時間から、ダウンロードで利用した帯域の平均値を計算する。また、帯域決定部１１０６は、図１７に示した履歴テーブルとして通話端末１１内に保持しておく。そして、帯域決定部１１０６は、履歴テーブルを利用して、例えば直近にダウンロードを行ったときの通信帯域の平均値を次回アップデート時にアップデートサーバ６０に通知する利用可能帯域を決定して帯域情報の通知を行う。アップデートサーバ６０は、通話端末１１から通知された帯域情報に基づいて、図６に示した対応テーブルを用いて分割サイズを決定する。
【００８３】
図１８は、帯域決定部１１０６が通信に利用可能な帯域を計測して利用可能な帯域を決定する場合の動作を示す図である。なお、図１８において、図７に示した処理と実質的に同じ処理には、同一の符号が付してある。
【００８４】
図１８に示すように、まず、アップデート部１１０３は、アップデートの確認開始（ステップＳ３）した後、アップデートサーバ６０にダミーデータの送信を要求する（ステップＳ２００）。ここで、ダミーデータとは、実際のダウンロード帯域を計測するために例えばアップデートサーバ６０が保持しているアップデートデータ形式のデータであり、実際のアップデートには用いられないデータである。
【００８５】
アップデート部１１０３は、通話端末１１からの要求に応じてアップデートサーバ６０が送信するダミーデータを、送受信部１１０１を介して受信する（ステップＳ２０２）。帯域決定部１１０６は、ダミーデータの容量とダウンロードに要した時間から、アップデートサーバ６０に通知する利用可能帯域を決定し、通知を行う。アップデートサーバ６０は、通話端末１１から通知された帯域情報に応じて、図６に示した対応テーブルを用いて分割サイズを決定する。
【００８６】
なお、本発明は上述した実施の形態そのままに限定されるものではなく、実施段階ではその要旨を逸脱しない範囲で構成要素を変形して具体化できる。また、上記実施の形態に開示されている複数の構成要素の適宜な組み合わせにより、種々の発明を形成できる。例えば、実施の形態に示される全構成要素から幾つかの構成要素を削除してもよい。さらに、異なる実施の形態にわたる構成要素を適宜組み合わせてもよい。
【００８７】
具体的には、通信システム１は、テレビ電話システム、音声会議システム、音声電話システム、ＰＣ（Personal  Computer）画面共有システム、ＩＰ（Internet  Protocol）電話及びインターネット電話等の電話システムであってもよい。さらに、遠隔操作システム１は、カーナビゲーションシステムであってもよい。例えば、通話端末１１の一方が自動車に搭載されたカーナビゲーション装置に相当し、通話端末１１の他方がカーナビゲーションを管理する管理センターの管理端末若しくは管理サーバ、又は他の自動車に搭載されているカーナビゲーション装置に相当するように構成されてもよい。また、通信システム１は、映画、ドラマ、テレビ、投稿動画などの映像や、電子書籍などの電子データを配信するコンテンツ配信システムとして構成されてもよい。
【００８８】
また、上記各実施形態における遠隔通信管理サーバ５０、及びアップデートサーバ６０は、単一のコンピュータによって構築されてもよいし、各部（機能又は手段）を分割して任意に割り当てられた複数のコンピュータによって構築されていてもよい。
【００８９】
また、分割サイズ決定部６０３は、アップデートサーバ６０が備えることに限定されることなく、例えば通話端末１１が有していてもよい。
【符号の説明】
【００９０】
１  通信システム
２  通信ネットワーク
１１  通話端末
１２  カメラ
１３  ディスプレイ
１４  マイク
１５  スピーカ
３０  中継装置
５０  遠隔通信管理サーバ
６０  アップデートサーバ
６０１  送受信部
６０２  アップデートデータ提供部
６０３  分割サイズ決定部
６０４  分割部
６０５  メタデータ生成部
６０６  アップデートデータ管理部
１１０１  送受信部
１１０２  ユーザインタフェース部
１１０３  アップデート部
１１０４  ユーザ通知部
１１０５  操作入力受付部
１１０６  帯域決定部
【先行技術文献】
【特許文献】
【００９１】
【特許文献１】特開２００６−１７２４７２号公報
【特許文献２】特開２０１２−０８４１１８号公報
【図１】
2015082149.tif 000003
【図２】
2015082149.tif 000004
【図３】
2015082149.tif 000005
【図４】
2015082149.tif 000006
【図５】
2015082149.tif 000007
【図６】
2015082149.tif 000008
【図７】
2015082149.tif 000009
【図８】
2015082149.tif 000010
【図９】
2015082149.tif 000011
【図１０】
2015082149.tif 000012
【図１１】
2015082149.tif 000013
【図１２】
2015082149.tif 000014
【図１３】
2015082149.tif 000015
【図１４】
2015082149.tif 000016
【図１５】
2015082149.tif 000017
【図１６】
2015082149.tif 000018
【図１７】
2015082149.tif 000019
【図１８】
2015082149.tif 000020